(57)【要約】
【課題】鼻孔に隙間なく密接することができる使い捨て鼻用フィルタを提供する。
【解決手段】プレート状の接着シート（１０）とフィルタシート（５０）を有し、接着シート（１０）の一側面は接着性を有すると共に、その上に少なくとも一つの孔が形成され、該孔にフィルタシート（５０）が配置されることを特徴とする。
【選択図】  図１
0003101132.tif 000002
【実用新案登録請求の範囲】
【請求項１】
プレート状の接着シートとフィルタシートを有し、接着シートの一側面は接着性を有すると共に、その上に少なくとも一つの孔が形成され、該孔にフィルタシートが配置されることを特徴とする鼻用フィルタ。
【請求項２】
鼻孔に挿入される筒状の軟質ブロック及びフィルタシートから成り、該ブロックの下端にフィルタシートが配置されることを特徴とする鼻用フィルタ。
【請求項３】
鼻孔に挿入される軟性ブロックを有し、該軟性ブロックの内部に中空部が形成されることを特徴とする鼻用フィルタ。
【考案の詳細な説明】
【技術分野】
【０００１】
本考案は、特に鼻孔に隙間なく密接することができる使い捨て鼻用フィルタに関するものである。
【背景技術】
【０００２】
科学技術の進歩に伴い、年々有毒物質や塵埃などによる空気汚染が進んでおり、それらの物質の肺への進入を防止には、通常にマスクが使用されている。
【考案の開示】
【考案が解決しようとする課題】
【０００３】
しかしながら、上記マスクは使用上、以下のような欠点を有する。
【０００４】
１、                                                                          オートバイにおいてはヘルメットを着脱する際、耳に掛けたマスクの掛け紐が脱落する恐れがあるので、使用上非常に不便である。
【０００５】
２、                                                                          マスクと顔面との密接効果が悪いため、汚れた空気がマスクと顔面との隙間を介して鼻に吸い込まれてしまう。
【０００６】
３、                                                                          マスクを使用する際は、口もカバーされるので、会話がしにくく、又、息による湿気がマスクに付着することから、細菌が発生しやすくなるので、長時間に使用すると、身体に悪影響を及ぼす恐れがある。
【０００７】
そこで、案出されたのが本考案であって、鼻孔に隙間なく密接することができる使い捨て鼻用フィルタを提供することを目的としている。
【課題を解決するための手段】
【０００８】
本願の請求項１の考案は、プレート状の接着シート（１０）とフィルタシート（５０）を有し、接着シート（１０）の一側面は接着性を有すると共に、その上に少なくとも一つの孔が形成され、該孔にフィルタシート（５０）が配置されることを特徴とする鼻用フィルタ及び、
本願の請求項２の考案は、鼻孔（Ｃ）に挿入される筒状の軟質ブロック（３０）及びフィルタシート（５０）から成り、該ブロック（３０）の下端にフィルタシート（５０）が配置されることを特徴とする鼻用フィルタ及び、
本願の請求項３の考案は、鼻孔（Ｃ）に挿入される軟性ブロック（４０）を有し、該軟性ブロック（４０）の内部に中空部（４１）が形成されることを特徴とする鼻用フィルタ、を提供する。
【考案の効果】
【０００９】
本考案は上記の課題を解決するものであり、フィルタシートを有する接着シートを鼻の下面に密接させ、或いはフィルタシートを有するブロックを鼻孔内に挿入させて、汚れた空気を接着シート又はブロックにおけるフィルタシートによって濾過することにより、清潔な空気を肺に送ることができるので、常に健康な身体を維持することができる。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係る鼻用フィルタの第一実施例の使用状態を示す斜視図であり、図２は本考案に係る鼻用フィルタの第一実施例の使用状態を示す側面図であり、図３は本考案に係る鼻用フィルタの第一実施例の使用状態を示す底面図であり、図４は本考案に係る鼻用フィルタの第一実施例の他の使用状態を示す斜視図であり、図５は本考案に係る鼻用フィルタの第一実施例の構造を示す分解斜視図であり、図６は本考案に係る鼻用フィルタの他の実施例の構造を示す分解斜視図であり、図７は本考案に係る鼻用フィルタの第二実施例の使用状態を示す斜視図であり、図８は本考案に係る鼻用フィルタの第三実施例の使用状態を示す斜視図であり、図９は本考案に係る鼻用フィルタの第三実施例を示す側面図であり、図１０は本考案に係る鼻用フィルタの第四実施例を示す側平面図であり、図１１は本考案に係る鼻用フィルタの第五実施例を示す側面図であり、図１２は本考案に係る鼻用フィルタの第六実施例を示す側面図であり、図１３は本考案に係る鼻用フィルタの第七実施例を示す側面図である。
【００１２】
図１乃至図３に示すように、本考案に係る鼻用フィルタの第一実施例はプレート状の接着シート（１０）とフィルタシート（５０）を有し、接着シート（１０）の一側面は接着性を有すると共に、その上に少なくとも一つの孔が形成され、該孔にフィルタシート（５０）が配置され、接着シート（１０）が鼻（Ａ）の下面に設けられると共に、フィルタシート（５０）が鼻孔（Ｃ）に位置されることにより、汚れた空気をフィルタシート（５０）によって濾過した後、清潔な空気が肺に送入されることができる。
【００１３】
又、図４に示すように、前記接着シート（１０）は上縁が鼻孔の両側に接着されると共に、下縁が鼻の下側面に接着されることにより、本考案に係る鼻用フィルタを鼻に配置することができる。
【００１４】
図５に示すように、本考案に係る鼻用フィルタは孔を有する二枚式シート（１１）の間にフィルタシート（５０）が挟まれることにより、該フィルタシート（５０）を固定することができる。
【００１５】
図６に示すように、本考案に係る鼻用フィルタは前記孔を有する二枚式シートの代わりに網状シート（１２）を用いることにより、前記と同様な効果を達成することができる。
【００１６】
又、図７に示すように、本考案に係る鼻用フィルタの第二実施例は前記第一実施例におけるプレート状の接着シート（１０）の替わりに袋状の接着シート（２０）を用いることにより、前記と同様な効果を達成することができる。又、該接着シート（２０）は前記二枚式シート又は網状シートから成ることができる。
【００１７】
図８及び図９に示すように、本考案に係る鼻用フィルタの第三実施例は鼻孔（Ｃ）に挿入される二つの軟性ブロック（３０）及びフィルタシート（５０）から成り、該ブロック（３０）は筒状であり、その下端にフィルタシート（５０）が配置されることにより、汚れた空気をフィルタシート（５０）によって濾過した後、清潔な空気が肺に送入されることができる。
【００１８】
又、前記フィルタシート（５０）は、ブロック（３０）の下端面に直接に設けられても良く、或いは図９に示すように、ブロック（３０）の内部に固定溝（３１）が形成されると共に、該固定溝（３１）に嵌入されても良い。
【００１９】
前記二つのブロック（３０）の間に紐状の連接部（６０）が設けられることにより、本考案に係る鼻用フィルタを鼻孔（Ｃ）から取り出すことが便利になると共に、不注意によって該ブロック（３０）が鼻孔（Ｃ）の奥に挿し込まれる危険も防止できる。
【００２０】
又、図１０に示すように、ブロック（３０）の内部に複数の固定溝（３１）が形成されると共に、該複数の固定溝（３１）に夫々フィルタシート（５０）が設けられることにより、濾過効果を向上することができる。
【００２１】
図１１に示すように、前記複数の固定溝（３１）の代わりにブロック（３０）の内部に多層溝（３２）が形成されると共に、該多層溝（３２）に複数のフィルタシート（５０）が設けられることにより、多層の濾過効果を達成することができる。
【００２２】
図１２に示すように、前記ブロック（３０）の内壁面に鼻毛のように複数の突出ブロック（３３）が設けられることにより、濾過効果を向上させる。
【００２３】
図１３に示すように、軟性又は弾性部材から成すブロック（４０）の内部に鼻孔の内壁のような中空部（４１）が形成されることにより、汚れた空気を中空部（４１）によって濾過した後、清潔な空気が肺に送入されることができる。
【産業上の利用可能性】
【００２４】
本考案は上記の構成を有するので、フィルタシートを有する接着シートを鼻の下面に密接させ、或いはフィルタシートを有するブロックを鼻孔内に挿入させて、汚れた空気を接着シート又はブロックにおけるフィルタシートによって濾過することにより、清潔な空気を肺に送ることができるので、常に健康な身体を維持することができる。
【図面の簡単な説明】
【００２５】
【図１】本考案に係る鼻用フィルタの第一実施例の使用状態を示す斜視図である。
【図２】本考案に係る鼻用フィルタの第一実施例の使用状態を示す側面図である。
【図３】本考案に係る鼻用フィルタの第一実施例の使用状態を示す底面図である。
【図４】本考案に係る鼻用フィルタの第一実施例の他の使用状態を示す斜視図である。
【図５】本考案に係る鼻用フィルタの第一実施例の構造を示す分解斜視図である。
【図６】本考案に係る鼻用フィルタの他の実施例の構造を示す分解斜視図である。
【図７】本考案に係る鼻用フィルタの第二実施例の使用状態を示す斜視図である。
【図８】本考案に係る鼻用フィルタの第三実施例の使用状態を示す斜視図である。
【図９】本考案に係る鼻用フィルタの第三実施例を示す側面図である。
【図１０】本考案に係る鼻用フィルタの第四実施例を示す側面図である。
【図１１】本考案に係る鼻用フィルタの第五実施例を示す側面図である。
【図１２】本考案に係る鼻用フィルタの第六実施例を示す側面図である。
【図１３】本考案に係る鼻用フィルタの第七実施例を示す側面図である。
【符号の説明】
【００２６】
Ａ          鼻
Ｂ          唇
Ｃ          鼻孔
１０        接着シート
１１        二枚式シート
１２        網状シート
２０        接着シート
３０        ブロック
３１        固定溝
３２        多層溝
３３        突出ブロック
４０        ブロック
４１        中空部
５０        フィルタシート
６０        連接部
【図１】
0003101132.tif 000003
【図２】
0003101132.tif 000004
【図３】
0003101132.tif 000005
【図４】
0003101132.tif 000006
【図５】
0003101132.tif 000007
【図６】
0003101132.tif 000008
【図７】
0003101132.tif 000009
【図８】
0003101132.tif 000010
【図９】
0003101132.tif 000011
【図１０】
0003101132.tif 000012
【図１１】
0003101132.tif 000013
【図１２】
0003101132.tif 000014
【図１３】
0003101132.tif 000015